(57)【特許請求の範囲】
【請求項１】
相交差する梁を接合してコーナー部を形成するとともに、該コーナー部に水平ブレースの取付部を設ける建物ユニットにおいて、
相交差する一方の梁の端部に接続具を取付け、該接続具に他方の梁の接合部材を接合するとともに、該接続具に水平ブレースの取付部材を取付け、
前記接続具が梁の接合部材のための接続面と、水平ブレースの取付部材のための接続面を備え、
前記梁の接合部材が当該梁を抱持するＣ形鋼接続ピースからなり、Ｃ形鋼接続ピースのウエブを上下のフランジ端よりも延長した舌片状接合片とし、この接合片を前記接続具の接続面に接合可能にすることを特徴とする建物ユニット。
【請求項２】
前記水平ブレースの取付部材がＬ形取付プレートを有し、このＬ形取付プレートの相交差する２面のそれぞれを前記接続具の相交差する２接続面のそれぞれに取付け可能にする請求項１に記載の建物ユニット。
【発明の詳細な説明】
【技術分野】
【０００１】
本発明は建物ユニットに関する。
【背景技術】
【０００２】
建物ユニットは、特許文献１に記載の如く、柱の上端部と下端部で相交差する２側面（妻面と桁面）のそれぞれに接合部材を設け、上側の２つの接合部材に相交差する天井梁のそれぞれを接合し、下側の接合部材に相交差する床梁のそれぞれを接合している。また、天井面（又は床面）の水平構面の対角線上に張り設けられる水平ブレースの取付部材を、柱の側面に取付けている。
【特許文献１】特開平11-303223
【発明の開示】
【発明が解決しようとする課題】
【０００３】
従来の建物ユニットでは、梁の接合部材を柱の側面に設けるとともに、水平ブレースの取付部材を柱の側面に取付けている。
【０００４】
ところが、柱省略した広い連続空間を形成可能にするユニット建物を構築するための建物ユニットの柱省略コーナー部では、相交差する梁の接合と、水平ブレースの取付けのために柱を利用できない。相交差する梁を接合するための１つの接続具と、水平ブレースの取付けのための他の接続具を併せ用いる等、構成複雑になる。
【０００５】
本発明の課題は、建物ユニットのコーナー部で、相交差する梁の接合と、水平ブレースの取付けのために柱を用いない簡素な構造を提供することにある。
【課題を解決するための手段】
【０００６】
請求項１の発明は、相交差する梁を接合してコーナー部を形成するとともに、該コーナー部に水平ブレースの取付部を設ける建物ユニットにおいて、相交差する一方の梁の端部に接続具を取付け、該接続具に他方の梁の接合部材を接合するとともに、該接続具に水平ブレースの取付部材を取付け、前記接続具が梁の接合部材のための接続面と、水平ブレースの取付部材のための接続面を備え、前記梁の接合部材が当該梁を抱持するＣ形鋼接続ピースからなり、Ｃ形鋼接続ピースのウエブを上下のフランジ端よりも延長した舌片状接合片とし、この接合片を前記接続具の接続面に接合可能にするようにしたものである。
【０００７】
請求項２の発明は、請求項１の発明において更に、前記水平ブレースの取付部材がＬ形取付プレートを有し、このＬ形取付プレートの相交差する２面のそれぞれを前記接続具の相交差する２接続面のそれぞれに取付け可能にするようにしたものである。
【発明の効果】
【００１０】
（請求項１）
(a)建物ユニットの１つのコーナー部で、相交差する一方の梁の端部に接続具を取付け、該接続具に他方の梁の接合部材を接合するとともに、該接続具に水平ブレースの取付部材を取付けることとした。従って、相交差する梁の接合と、水平ブレースの取付けのために単一の接続具を共用することにより、柱を用いない簡素な構成により、相交差する梁を接合し、かつ水平ブレースを取付けできる。
【００１１】
(b)一方の梁の端部に取付ける接続具が、他方の梁の接合部材のための接続面と、水平ブレースの取付部材のための接続面を備えることにより、相交差する梁の接合と、水平ブレースの取付けの確実を図ることができる。
【００１２】
(c)他方の梁の接合部材が当該梁を抱持するＣ形鋼接続ピースからなり、Ｃ形鋼接続ピースのウエブを上下のフランジ端よりも延長した舌片状接合片とし、この接合片を接続具の接続面に確実に接合できる。
【００１３】
（請求項２）
(d)水平ブレースの取付部材がＬ形取付プレートを有し、このＬ形取付プレートの相交差する２面のそれぞれを接続具の相交差する２接続面のそれぞれに確実に取付けできる。
【発明を実施するための最良の形態】
【００１４】
図１は建物ユニットを示す斜視図、図２は建物ユニットの柱省略コーナー部を示す平面図、図３は図２の側面図、図４は妻天井梁と桁天井梁の接合部を示す側面図、図５は妻天井梁と接続具を示し、（Ａ）は平面図、（Ｂ）は側面図、（Ｃ）は端面図、図６は水平ブレースの取付部材を示し、（Ａ）は平面図、（Ｂ）は正面図、（Ｃ）は側面図、図７は柱に対する水平ブレースの取付部を示し、（Ａ）は平面図、（Ｂ）は側面図である。
【実施例】
【００１５】
図１の柱省略建物ユニット１０は、角鋼管製柱１１とＣ形鋼製床梁１２とＣ形鋼製天井梁１３を箱形に接合した骨組構造体であり、相交差する床梁１２の接合部、天井梁１３の接合部をコーナー部とする。柱省略建物ユニット１０は、少なくとも１個、本実施例では相隣る２個のコーナー部を柱省略コーナー部１４としてなるものである。
【００１６】
柱省略建物ユニット１０の天井梁１３において、柱１１が存在するコーナー部と柱省略コーナー部１４の間に延在される天井梁１３は、リップ付きＣ形鋼からなる天井梁１３Ａとされる。
【００１７】
柱省略建物ユニット１０は、柱１１が存在するコーナー部で、相交差する床梁１２、１２の接合構造を以下の如くにしている。柱１１の下端部の相交差する２面のそれぞれに固定されるＣ形鋼接続ピース１１Ａに妻側（短辺側）と桁側（長辺側）の各床梁１２の端部を抱持させて接続する。
【００１８】
柱省略建物ユニット１０は、柱１１が存在するコーナー部で、相交差する床梁１３、１３の接合構造を以下の如くにしている。柱１１の上端部の相交差する２面のそれぞれに固定されるＣ形鋼接続ピース１１Ｂに妻側と桁側の各天井梁１３の端部を抱持させて接続する。
【００１９】
柱省略建物ユニット１０は、柱省略コーナー部１４で、相交差する床梁１２、１２の接合構造を以下の如くにしている。相交差する床梁１２の交差部に短柱１５を設け、短柱１５の相交差する２面のそれぞれに固定されるＣ形鋼接続ピース１５Ａに妻側と桁側の各床梁１２の端部を抱持させて接続する。
【００２０】
柱省略建物ユニット１０は、柱省略コーナー部１４で、相交差する天井梁１３Ａ（妻天井梁）と天井梁１３（桁天井梁）の接合構造を以下の如くにしている。即ち、図２、図３に示す如く、天井梁１３Ａの端部に接続具２０を取付け、接続具２０に天井梁１３の接合部材３０を接合する。
【００２１】
接続具２０は、図２〜図５に示す如く、平鋼板を概ねＵ字状に曲げた曲げ成形体であり、天井梁１３Ａの断面内において天井梁１３Ａのウエブ内面と上下のリップ内面に溶接される第１接続板２２Ａと、第１接続板２２Ａの一端から直角に折曲げられて上下のリップ内面に溶接される第２接続板２２Ｂと、第２接続板２２Ｂの天井梁１３Ａから外方に突き出た突出端から直角に折り曲げられる、第１と第２の接続板２２Ａ、２２Ｂよりも短めの主接続板２１を有する。天井梁１３Ａのウエブ、上下のリップに上述の如くに溶接されて取付けられた接続具２０は、主接続板２１の外側面を天井梁１３の接合部材３０のための接続面とし、第１と第２の接続板２２Ａ、２２Ｂの外側面を後述する水平ブレース４０の取付部材６０のための接続面とする。接続具２０の第１と第２の接続板２２Ａ、２２Ｂの内側面には、水平ブレース４０の取付部材６０を取付けるボルト挿通孔の裏側に予め裏ナット２３を設けてある。
【００２２】
接合部材３０は、図２〜図４に示す如く、天井梁１３の端部を抱持するＣ形鋼接続ピース３１からなり、Ｃ形鋼接続ピース３１のウエブを、天井梁１３の端部及び該接続ピース３１の上下フランジ端よりも外方に延長した舌片状接合片３２とする。舌片状接合片３２は長孔状溶接用開口部３２Ａを備える。接合部材３０は、舌片状接合部３２を接続具２０の主接続板２１の接続面に当て、溶接用開口部３２Ａを介して、該舌片状接合片３２を主接続板２１に溶接して接合する。これにより、天井梁１３Ａに取付けた接続具２０に、天井梁１３の接合部材３０（Ｃ形鋼接続ピース３１）を接合するものになる。
【００２３】
柱省略建物ユニット１０は、天井の水平構面のＸ字状をなす２つの対角線上のそれぞれに位置する柱１１と柱省略コーナー部１４の間に、丸鋼からなる水平ブレース４０をターンバックル４３により張力を調整して張り設ける。水平ブレース４０の取付構造は以下の如くになされる。
【００２４】
(A)柱１１への水平ブレース４０の取付構造（図７）
柱１１の妻側と桁側の接続ピース１１Ｂが固定される２面のそれぞれに、Ｌ形取付プレート５１の相交差する２面のそれぞれが添設されてボルト５３により固定される（図７）。取付プレート５１は、相交差する２面に突き合せ溶接される平板状取付部５２を有し、水平ブレース４０の端部が固着された水平板４１がボルト４２により取付部５２に連結される。
【００２５】
(B)柱省略コーナー部１４への水平ブレース４０の取付構造（図２、図３）
天井梁１３Ａの端部に取付けられた、天井梁１３の接合部材３０（接続ピース３１）を接合するために用いた前述の接続具２０に、水平ブレース４０の取付部材６０を取付ける。取付部材６０は、図６に示す如く、Ｌ形取付プレート６１を有し、取付プレート６１の相交差する２面のそれぞれが、接続具２０の相交差する第１と第２の接続板２２Ａ、２２Ｂの接続面のそれぞれに添設され、ボルト６３（裏ナット２３）により固定される（図２、図３）。取付プレート６１は、相交差する２面に突き合せ溶接される平板状取付部６２を有し、水平ブレース４０の端部が固着された水平板４１がボルト４２により取付部６２に連結される。
【００２６】
尚、柱省略建物ユニット１０は、製造過程、建築現場への輸送据付段階で、柱省略コーナー部１４の下部と上部の間に仮柱１６を仮置きする。
【００２７】
本実施例によれば以下の作用効果を奏する。
(a)建物ユニット１０の１つの柱省略コーナー部１４で、相交差する天井梁１３Ａの端部に接続具２０を取付け、該接続具２０に天井梁１３の接合部材３０を接合するとともに、該接続具２０に水平ブレース４０の取付部材６０を取付けることとした。従って、相交差する天井梁１３Ａ、１３の接合と、水平ブレース４０の取付けのために単一の接続具２０を共用することにより、柱１１を用いない簡素な構成により、相交差する天井梁１３Ａ、１３を接合し、かつ水平ブレース４０を取付けできる。
【００２８】
(b)天井梁１３Ａの端部に取付ける接続具２０が、天井梁１３の接合部材３０のための接続面（主接続板２１）と、水平ブレース４０の取付部材６０のための接続面（第１と第２の接続板２２Ａ、２２Ｂ）を備えることにより、相交差する天井梁１３Ａ、１３の接合と、水平ブレース４０の取付けの確実を図ることができる。
【００２９】
(c)天井梁１３の接合部材３０が当該天井梁１３を抱持するＣ形鋼接続ピース３１からなり、Ｃ形鋼接続ピース３１のウエブを上下のフランジ端よりも延長した舌片状接合片３２とし、この接合片３２を接続具２０の接続面（主接続板２１）に確実に接合できる。
【００３０】
(d)水平ブレース４０の取付部材６０がＬ形取付プレート６１を有し、このＬ形取付プレート６１の相交差する２面のそれぞれを接続具２０の相交差する２接続面（第１と第２の接続板２２Ａ、２２Ｂ）のそれぞれに確実に取付けできる。
【００３１】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３２】
【図１】図１は建物ユニットを示す斜視図である。
【図２】図２は建物ユニットの柱省略コーナー部を示す平面図である。
【図３】図３は図２の側面図である。
【図４】図４は妻天井梁と桁天井梁の接合部を示す側面図である。
【図５】図５は妻天井梁と接続具を示し、（Ａ）は平面図、（Ｂ）は側面図、（Ｃ）は端面図である。
【図６】図６は水平ブレースの取付部材を示し、（Ａ）は平面図、（Ｂ）は正面図、（Ｃ）は側面図である。
【図７】図７は柱に対する水平ブレースの取付部を示し、（Ａ）は平面図、（Ｂ）は側面図である。
【符号の説明】
【００３３】
１０  建物ユニット
１１  柱
１２  床梁
１３、１３Ａ  天井梁
１４  柱省略コーナー部
２０  接続具
２１  主接続板（接続面）
２２Ａ  第１接続板（接続面）
２２Ｂ  第２接続板（接続面）
３０  接合部材
３１  Ｃ形鋼接続ピース
３２  舌片状接合片
４０  水平ブレース
６０  取付部材
６１  Ｌ形取付プレート
【図１】
0004804869.tif 000002
【図２】
0004804869.tif 000003
【図３】
0004804869.tif 000004
【図４】
0004804869.tif 000005
【図５】
0004804869.tif 000006
【図６】
0004804869.tif 000007
【図７】
0004804869.tif 000008